(57)【要約】      （修正有）【課題】室内の暗い所に配置した家具類、仏壇等の内部だけででなく、高齢者や身体障害者に不便な屋内の階段、便所、廊下等に設置する照明器具に関し、長手状の発光源が要求される場所に最適であり、使用に応じて、光の集束、拡散又は分光の作用を有し、かつ、発光源が長寿命で、消費電力が少なく、発熱の無い安全な照明器具を得る。【解決手段】断面上向きコ形の長手状の台ケース１内の底部に、複数のチップＬＥＤ２とＬＥＤ用基板３により構成されるＬＥＤユニットを、直列状に任意個数装着し、その上側に、断面形状が円形、半円形、凸レンズ形、三角形、台形等に形成された透明性樹脂棒体４を配置すると共に、前記台ケース１及び透明性樹脂棒体４の両端部に、端部カバー５を嵌着した事を特徴としている。【選択図】図１
0003108840.tif 000002
【実用新案登録請求の範囲】
【請求項１】
断面上向きコ形長手状の台ケース１内の底部に、複数のチップＬＥＤ２とＬＥＤ用基板３により構成されるＬＥＤユニットを、直列状に任意個数装着し、その上側に、透明性樹脂棒体４を配置すると共に、前記台ケース１及び透明性樹脂棒体４の両端部に、端部カバー５を嵌着した事を特徴とする透明性樹脂棒体を利用したＬＥＤライト。
【請求項２】
透明性樹脂棒体４は、断面形状が、円形、半円形、凸レンズ形等、曲線により形成された形状にする事を特徴とする請求項１に記載の透明性樹脂棒体を利用したＬＥＤライト。
【請求項３】
透明性樹脂棒体４は、断面形状が、三角形、台形等、直線により形成された形状にする事を特徴とする請求項１に記載の透明性樹脂棒体を利用したＬＥＤライト。
【考案の詳細な説明】
【技術分野】
【０００１】  本考案は、室内の暗い所に配置した家具類、仏壇等の内部だけででなく、高齢者や身体障害者に不便な屋内の階段、便所、廊下等の個所に設置する照明器具に関する。［背景技術］【０００２】  従来、本考案の意図する用途に使用される光源は、１００Ｖ、３０Ｗのミニレフ電球や、１００Ｖ、１５Ｗ又は２０Ｗのナツメ電球が多かった。又、電源１００Ｖを１２Ｖに変圧するためのトランスを必要とする１２Ｖ、１０Ｗのキセノン電球や、１２Ｖ、２０Ｗのミニハロゲン電球などを使用していたが、いずれも寸法が大きく、使用電球は１個の点光源であり、。光は部分的に強く、全体が明るくやわらかみのある光ではなく、発熱があるので、光を集束又は拡散させる為のレンズ等を前面に装着する事は安全上無理であり、消費電力も大きかった。［考案の開示］［考案が解決しようとする課題］【０００３】  従来のこの種の用途のライトは、いずれも寸法が大きく、発光源が１個の点光源であり、光線が強く暗影が濃いので、暗い側の物品が視認し難くなり、又、光源は電力消費により発熱して過熱する危険があり、前面にレンズ等を装着する事は安全上困難であった。又、電球の寿命が短かく不経済であった。【０００４】  近年、この種のライトは、消費電力が少なく、発熱がなく安全なＬＥＤユニットを使用し、多数のチップＬＥＤを装着し、光を拡散して柔らかくし全体的に明るくして暗影を無くするＬＥＤライトが普及しつつあり、単体のチップＬＥＤを多数集めて面光源に構成し、光を集束、拡散する為に、電球を光源としたライトと同様に、前面にレンズを装着したライトも開発されている。又、多数のチップＬＥＤを直列状に一列に配置したＬＥＤユニットも開発されているが、照明用としてよりも標識用としての効用が多く、従って、単体のチップＬＥＤは裸電球構造で、光の集束、拡散作用が要求される場合は、単体のチップＬＥＤにレンズを個別に装着していた。［課題を解決するための手段］【０００５】  本考案に係るＬＥＤライトは、消費電力が少なく発熱しない省エネルギー形式で、長寿命の多数のチップＬＥＤを長手上向きコ形の台ケース無いに直列状に配置して使用し、発光源を線光線に構成し、その前面側に透明性樹脂材で構成した棒体を配設した長手状の照明具であり、使用目的及び設置個所に対応させて、光を集束又は拡散、分光する事ができるＬＥＤライトである。［考案の効果］【０００６】  上述のように構成される本考案の効果は次の通りである。チップＬＥＤとＬＥＤ用基板により構成され、直列状に配設された複数のチップＬＥＤの光は、透明性樹脂棒体のレンズ作用により、使用に応じて、光を集束又は拡散、或は分光させる。透明性樹脂棒体が、断面形状円形の場合は光が集束されて光度が倍増し、断面形状半円形の場合は凸レンズと同様に光が拡散し、断面形状三角形又は台形とする場合は光が分光するなど、直列状に配置された多数のチップＬＥＤの光が一本の透明性樹脂棒体を通過する事により、長く連続した光を集束、拡散、分光させる実効を発揮する事ができる。【００７】  チップＬＥＤ２は、金属発熱線利用の電球のように断線する事が無く、長寿命であるのでメンテナスが不要であり、発光源が線状となって広がり、熱の発生が極めて少���いので安全であり、消費電力が少なく省エネルギーを達成できる。又、長手状の台ケース１に、チップＬＥＤ２及びＬＥＤ用基板３で成るＬＥＤユニットを直列状に配設するので、用途に応じ接続する個数、寸法を選択し、発光源の長さや光度等を適宜設定する事ができる。更に、全体がスリムな長手状に構成される為、冷陰極管に比べ使い易くなる利点がある。［考案を実施するための最良の形態］【０００８】  本考案は、添付図面に示す通り、断面上向きコ形長手状の台ケース１内の底部に、複数のチップＬＥＤ２とＬＥＤ用基板３により構成されるＬＥＤユニットを、直列状に任意個数装着する。この構成は市販のＬＥＤモジュールを利用する事も可能である。その直列状のＬＥＤユニットの上側に、断面形状が円形、半円形、凸レンズ形、三角形、台形等、曲線、直線を有する形状に形成された透明性樹脂棒体４を配置すると共に、前記台ケース１及び透明性樹脂棒体４の両端部に、端部カバー５を嵌着する。［実施例１］【０００９】  以下、添付図面の図１及び図２により実施例を説明する。１は、断面が上向きコ形に形成されたれた長手状の台ケース１で、この中の底部に、複数のチップＬＥＤ２とＬＥＤ用基板３により構成されたＬＥＤユニットを直列状に任意個数、連続させて装着し、コード８により、挿込み片１０を有するアダプター９を介して、家庭用電源ＡＣ、１００Ｖに接続される。アダプター９は、一般に使用されている、入力、ＡＣ１００〜１２０Ｖ、５０／６０Ｈｚ、０．３Ａ。出力、ＤＣ９Ｖ、１．２Ａの規格のアダプターを使用する事ができる。ＬＥＤユニットに装着されるチップＬＥＤ２の個数及び連結するＬＥＤユニットの個数は、使用目的や設置個所に対応させて適宜設定する。【００１０】  ＬＥＤユニットの上側には、全部のチップＬＥＤ２の光が通過するように、ＬＥＤユニットの全長に沿わせて透明性樹脂棒体４を配置すると共に、前記台ケース１及び透明性樹脂棒体４の両端部に、取付部６を設けた端部カバー５をそれぞれ嵌着し、取付けネジ７により固定する。透明性樹脂棒体４は、樹脂材で構成されるので、軽量で成形が容易であり、アクリル樹脂を使用する事により光の透過効率がよく、透明性彩色も容易となる。【００１１】  透明性樹脂棒体４は、使用目的や設置個所に適応させて、光を集束、拡散、分光する為に、断面形状が、円形、半円形、凸レンズ形等、曲線により形成された形状や、三角形、台形等、直線により形成された形状にする事ができる。図３は、透明性樹脂棒体の断面形状を円形に形成した場合を示し、図４は断面形状を半円形にした場合、図５は断面形状を三角形にした場合、図６は断面形状を台形にして逆向けに配置した場合を示す。
【図面の簡単な説明】
【００１２】
【図１】本考案の一実施例の縦断面図である。
【図２】図１に示す実施例の斜視図である。
【図３】図１に示すＡ−Ａ’部の断面を示し、断面円形の透明性樹脂棒体を使用した場合の拡大端面図である。
【図４】本考案の他の実施例の拡大断面図で  断面半円形の透明性樹脂棒体を使用した場合の拡大端面図である。
【図５】本考案の他の実施例の拡大断面図で  断面三角形の透明性樹脂棒体を使用した場合の拡大端面図である。
【図６】本考案の他の実施例の拡大断面図で  断面台形の透明性樹脂棒体を逆向きに使用した場合の拡大端面図である。
【符号の説明】
【００１３】  １．    台ケース  ２．    チップＬＥＤ  ３．    ＬＥＤ用基板  ４．    透明性樹脂棒体  ５．    端部カバー  ６．    取付部  ７．    取付けネジ  ８．    コード  ９．    アダプター  １０．  差込み片
【図１】
0003108840.tif 000003
【図２】
0003108840.tif 000004
【図３】
0003108840.tif 000005
【図４】
0003108840.tif 000006
【図５】
0003108840.tif 000007
【図６】
0003108840.tif 000008